(57)【要約】【課題】バックライトのＬＥＤの輝度劣化のばらつきを低減でき、かつ画像の静止領域を好適に表示できる画像表示装置を提供する。【解決手段】ＬＥＤライトの発光輝度値を分割領域毎に設定する設定手段と、発光輝度値の変動幅が所定期間以上継続して閾値以下である静止分割領域を検出する検出手段と、静止分割領域のＬＥＤライトの発光輝度値を設定手段により当初設定されていた値より前記閾値以上異なる値に変更するとともに、当該静止分割領域に隣接し検出手段により静止分割領域として検出されていない隣接分割領域のＬＥＤライトの発光輝度値を設定手段により当初その静止分割領域のＬＥＤライトに設定されていた値に変更する変更手段と、静止分割領域及び隣接分割領域のＬＥＤライトを前記変更手段により変更された発光輝度値で発光させ、それ以外の分割領域のＬＥＤライトを設定手段により設定された発光輝度値で発光させる発光制御手段と、を有する。【選択図】図１
2012145640.tif 000002
【特許請求の範囲】
【請求項１】
複数のＬＥＤライトを有するバックライトと、
前記バックライトからの光の透過率を変化させる複数の画素を有する表示パネルと、
を有し、前記バックライトは、前記表示パネルの表示領域を分割する複数の分割領域のそれぞれに対応して１以上のＬＥＤライトが配置されて構成されている画像表示装置であって、
入力される映像信号に応じて前記ＬＥＤライトの発光輝度値を前記分割領域毎に設定する設定手段と、
前記設定手段で設定される前記分割領域毎のＬＥＤライトの発光輝度値の履歴に基づき、発光輝度値の変動幅が所定の閾値以下である状態が所定期間以上継続したＬＥＤライトに対応する分割領域である静止分割領域を検出する検出手段と、
静止分割領域のＬＥＤライトの発光輝度値を、前記設定手段が当該静止分割領域のＬＥＤライトに設定していた発光輝度値との差異が前記閾値より大きい発光輝度値に変更するとともに、当該静止分割領域に隣接する分割領域であって前記検出手段により静止分割領域として検出されていない分割領域のＬＥＤライトの発光輝度値を、前記設定手段が当該静止分割領域のＬＥＤライトに設定した発光輝度値に変更する変更手段と、
前記検出手段により静止分割領域が検出された場合、当該静止分割領域及びそれに隣接する前記分割領域のＬＥＤライトを前記変更手段により変更された発光輝度値で発光させるとともに、それ以外の分割領域のＬＥＤライトを前記設定手段により設定された発光輝度値で発光させる発光制御手段と、
を有する画像表示装置。
【請求項２】
前記変更手段は、前記検出手段により検出された静止分割領域のうち、その静止分割領域のＬＥＤライトに設定される発光輝度値が所定の明るさ判定値以上、且つ、その静止分割領域のＬＥＤライトに設定される発光輝度値とその静止分割領域に隣接する分割領域のＬＥＤライトに設定される発光輝度値との差分が所定の隣接輝度差判定値以上、という条件を満たす静止分割領域のＬＥＤライトの発光輝度値を変更する請求項１に記載の画像表示装置。
【請求項３】
前記変更手段は、前記条件を満たす静止分割領域のＬＥＤライトを消灯させるよう前記静止分割領域のＬＥＤライトの発光輝度値を変更する請求項２に記載の画像表示装置。
【請求項４】
ある分割領域のＬＥＤライトの発光が他の分割領域へ拡散することによる他の分割領域の輝度値への影響を加味して分割領域毎の輝度値を算出する算出手段を有し、
前記変更手段は、前記設定手段により設定される各分割領域のＬＥＤライトの発光輝度値に基づき前記算出手段が算出する前記静止分割領域の輝度値と、前記静止分割領域及びそれに隣接する分割領域のＬＥＤライトの発光輝度値を変更した場合の各分割領域のＬＥＤライトの発光輝度値に基づき前記算出手段が算出する前記静止分割領域の輝度値と、の差異が所定の許容値以下になるように、前記静止分割領域及びそれに隣接する分割領域の変更後の発光輝度値を決定する請求項１から３のいずれか１項に記載の画像表示装置。
【請求項５】
前記検出手段により検出された静止分割領域が複数ある場合、前記変更手段は、複数のうちいずれか一の静止分割領域に対応するＬＥＤライトについてのみ前記発光輝度値の変更を行うとともに、前記発光輝度値の変更の対象となるＬＥＤライトに対応する静止分割領域を前記複数のうちで１つずつ順次変更していく請求項１から４のいずれか１項に記載の画像表示装置。
【請求項６】
前記検出手段により検出された静止分割領域が複数ある場合、前記変更手段は、複数のうち一部の静止分割領域からなる静止分割領域群に対応するＬＥＤライトについてのみ前
記発光輝度値の変更を行うとともに、前記発光輝度値の変更の対象となるＬＥＤライトに対応する静止分割領域群を前記複数の静止分割領域に基づき規定可能な複数の静止分割領域群のうちで１つずつ順次変更していく請求項１から４のいずれか１項に記載の画像表示装置。
【請求項７】
前記検出手段は、前記設定手段により設定される分割領域毎の発光輝度値の情報を所定の時間間隔で保存し、発光輝度値の保存を行うたびに、当該保存した発光輝度値の情報を前回保存した発光輝度値の情報と比較することにより、分割領域毎に発光輝度値の変動幅を取得する請求項１から６のいずれか１項に記載の画像表示装置。
【請求項８】
前記検出手段は、前記設定手段により設定される分割領域毎の発光輝度値の情報を所定の時間間隔で保存し、保存された時刻が一定時間離れている発光輝度値の情報を読み出し、読み出した発光輝度値の情報を比較することにより、分割領域毎に発光輝度値の変動幅を取得する請求項１から６のいずれか１項に記載の画像表示装置。
【請求項９】
複数のＬＥＤライトを有するバックライトと、
前記バックライトからの光の透過率を変化させる複数の画素を有する表示パネルと、
を有し、前記バックライトは、前記表示パネルの表示領域を分割する複数の分割領域のそれぞれに対応して１以上のＬＥＤライトが配置されて構成されている画像表示装置の制御方法であって、
入力される映像信号に応じて前記ＬＥＤライトの発光輝度値を前記分割領域毎に設定する設定工程と、
前記設定工程で設定される前記分割領域毎のＬＥＤライトの発光輝度値の履歴に基づき、発光輝度値の変動幅が所定の閾値以下である状態が所定期間以上継続したＬＥＤライトに対応する分割領域である静止分割領域を検出する検出工程と、
静止分割領域のＬＥＤライトの発光輝度値を、前記設定工程が当該静止分割領域のＬＥＤライトに設定していた発光輝度値との差異が前記閾値より大きい発光輝度値に変更するとともに、当該静止分割領域に隣接する分割領域であって前記検出工程により静止分割領域として検出されていない分割領域のＬＥＤライトの発光輝度値を、前記設定工程で当該静止分割領域のＬＥＤライトに設定した発光輝度値に変更する変更工程と、
前記検出工程により静止分割領域が検出された場合、当該静止分割領域及びそれに隣接する前記分割領域のＬＥＤライトを前記変更工程により変更された発光輝度値で発光させるとともに、それ以外の分割領域のＬＥＤライトを前記設定工程により設定された発光輝度値で発光させる発光制御工程と、
を有する画像表示装置の制御方法。
【発明の詳細な説明】
【技術分野】
【０００１】
本発明は、ＬＥＤバックライトを用いた画像表示装置及びその制御方法に関するものである。
【背景技術】
【０００２】
従来、ローカルディミング制御が可能なバックライトを有する画像表示装置において、ローカルディミング制御によるＬＥＤライトの輝度劣化のばらつきを低減する方法が提案されている。例えば、特許文献１には、表示装置に照度センサを設けて、照度が高いときはローカルディミングの制御をオフすることによりＬＥＤライトの輝度劣化のばらつきが発生しないようにする技術が記載されている。また、特許文献２には、上側バックライトと下側バックライトの累積発光時間の差がしきい値を越えないように、バックライトの発光制御を行うことが開示されている。
【先行技術文献】
【特許文献】
【０００３】
【特許文献１】特開２００９−２０４８２５号公報
【特許文献２】特開２００８−２６１９９３号公報
【発明の概要】
【発明が解決しようとする課題】
【０００４】
しかしながら、特許文献１に記載の画像表示装置には次のような課題がある。この画像表示装置が常に室内で使用されるような場合においては、照度センサで検出する輝度は常に低くなる可能性があり、この場合ローカルディミング制御をオフすることがほとんどできなくなってしまう。
つまり前述した特許文献１に記載の画像表示装置では、照度が低い場所で使用された場合、ローカルディミング制御をオフできる機会がほとんど無くＬＥＤライトの輝度劣化のばらつきを低減できない場合があった。
また、特許文献２に記載の技術では、静止領域を含む画像を表示しているときに、上側バックライトと下側バックライトの点灯状態を切り替えると、静止領域の表示輝度が変化してしまい、画像の見え方に違和感を生じる場合があった。
【０００５】
そこで、本発明の目的は、ローカルディミング制御が可能なバックライトを有する画像表示装置において、ＬＥＤライトの輝度劣化のばらつきを低減するとともに、画像の静止領域を好適に表示することが可能な技術を提供することである。
【課題を解決するための手段】
【０００６】
本発明は、複数のＬＥＤライトを有するバックライトと、
前記バックライトからの光の透過率を変化させる複数の画素を有する表示パネルと、
を有し、前記バックライトは、前記表示パネルの表示領域を分割する複数の分割領域のそれぞれに対応して１以上のＬＥＤライトが配置されて構成されている画像表示装置であって、
入力される映像信号に応じて前記ＬＥＤライトの発光輝度値を前記分割領域毎に設定する設定手段と、
前記設定手段で設定される前記分割領域毎のＬＥＤライトの発光輝度値の履歴に基づき、発光輝度値の変動幅が所定の閾値以下である状態が所定期間以上継続したＬＥＤライトに対応する分割領域である静止分割領域を検出する検出手段と、
静止分割領域のＬＥＤライトの発光輝度値を、前記設定手段が当該静止分割領域のＬＥ
Ｄライトに設定していた発光輝度値との差異が前記閾値より大きい発光輝度値に変更するとともに、当該静止分割領域に隣接する分割領域であって前記検出手段により静止分割領域として検出されていない分割領域のＬＥＤライトの発光輝度値を、前記設定手段が当該静止分割領域のＬＥＤライトに設定した発光輝度値に変更する変更手段と、
前記検出手段により静止分割領域が検出された場合、当該静止分割領域及びそれに隣接する前記分割領域のＬＥＤライトを前記変更手段により変更された発光輝度値で発光させるとともに、それ以外の分割領域のＬＥＤライトを前記設定手段により設定された発光輝度値で発光させる発光制御手段と、
を有する画像表示装置である。
【０００７】
本発明は、複数のＬＥＤライトを有するバックライトと、
前記バックライトからの光の透過率を変化させる複数の画素を有する表示パネルと、
を有し、前記バックライトは、前記表示パネルの表示領域を分割する複数の分割領域のそれぞれに対応して１以上のＬＥＤライトが配置されて構成されている画像表示装置の制御方法であって、
入力される映像信号に応じて前記ＬＥＤライトの発光輝度値を前記分割領域毎に設定する設定工程と、
前記設定工程で設定される前記分割領域毎のＬＥＤライトの発光輝度値の履歴に基づき、発光輝度値の変動幅が所定の閾値以下である状態が所定期間以上継続したＬＥＤライトに対応する分割領域である静止分割領域を検出する検出工程と、
静止分割領域のＬＥＤライトの発光輝度値を、前記設定工程が当該静止分割領域のＬＥＤライトに設定していた発光輝度値との差異が前記閾値より大きい発光輝度値に変更するとともに、当該静止分割領域に隣接する分割領域であって前記検出工程により静止分割領域として検出されていない分割領域のＬＥＤライトの発光輝度値を、前記設定工程で当該静止分割領域のＬＥＤライトに設定した発光輝度値に変更する変更工程と、
前記検出工程により静止分割領域が検出された場合、当該静止分割領域及びそれに隣接する前記分割領域のＬＥＤライトを前記変更工程により変更された発光輝度値で発光させるとともに、それ以外の分割領域のＬＥＤライトを前記設定工程により設定された発光輝度値で発光させる発光制御工程と、
を有する画像表示装置の制御方法である。
【発明の効果】
【０００８】
本発明によれば、ローカルディミング制御が可能なバックライトを有する画像表示装置において、ＬＥＤライトの輝度劣化のばらつきを低減するとともに、画像の静止領域を好適に表示することができる。
【図面の簡単な説明】
【０００９】
【図１】実施例１における画像表示装置の構成を示したブロック図
【図２】入力映像信号とＢＬ制御エリアの輝度制御値の時間変化を示す図
【図３】ＢＬ制御エリアの輝度制御値を変更する処理のフローチャート
【図４】ＢＬ制御エリアの輝度制御値を１エリアずつ変更した場合の輝度変化の図
【図５】ＢＬ制御エリアの輝度制御値を複数エリア同時変更した場合の輝度変化の図
【図６】実施例２における画像表示装置の構成を示したブロック図
【図７】ＢＬ制御エリアの輝度制御値を変更する処理のフローチャート
【図８】点灯しているＢＬ制御エリアの光拡散状態を計算するための模式図
【図９】ＢＬ制御エリア点灯状態及びＢＬ制御エリアの輝度値の変化を示す模式図
【図１０】ＢＬ制御エリア点灯状態及びＢＬ制御エリアの輝度値の変化を示す模式図
【図１１】ＢＬ制御エリア点灯状態及びＢＬ制御エリアの輝度値の変化を示す模式図
【発明を実施するための形態】
【００１０】
（実施例１）
第１の実施形態について説明する。図１は本発明を適用した画像表示装置の構成を示したブロック図である。以下の説明において「バックライト」を「ＢＬ」（Ｂａｃｋ  Ｌｉｇｈｔの略）と記すことがある。
図１の画像表示装置１は、ローカルディミング制御部１０１、静止ＢＬ制御エリア検出部１０２、ＢＬエリア移動制御計算部１０３、ＬＥＤ制御部１０４、ＬＥＤ部１０５、表示部１０６で構成される。
ＬＥＤ部１０５は、複数のＬＥＤライトを有するバックライトを構成する。表示部１０６はバックライトからの光の透過率を変化させることで階調を表現する画素（液晶素子）がマトリクス状に配置された液晶パネル（表示パネル）を構成する。
【００１１】
ＬＥＤライトの発光輝度は、一又は複数のＬＥＤライトの集合である「ＢＬ制御エリア」単位で制御される。本実施例では、図２（ｂ）に示すように、表示部１０６の表示領域をマトリクス状に分割し、各分割領域内の画素を照射するＬＥＤライトの集合として「ＢＬ制御エリア」を定める。すなわち、ＬＥＤ部１０５（バックライト）は、表示パネルの表示領域を分割する複数の分割領域のそれぞれに対応して１以上のＬＥＤライトが配置されて構成されている。
【００１２】
図２（ｂ）に示す例では、表示部１０６の表示領域を横９×縦６の５４個の分割領域に分割しているため、ＬＥＤ部１０５を構成する複数のＬＥＤライトは５４個のＢＬ制御エリアにグループ分けされる。１つのＢＬ制御エリアに属するＬＥＤライトは同一の輝度で発光するよう制御される。
【００１３】
図１においてローカルディミング制御部１０１が入力映像信号からＢＬ制御エリア点灯情報を算出する説明を行う。ＢＬ制御エリア点灯情報とはＢＬ制御エリア毎（分割領域毎）のＬＥＤライトの発光輝度を制御する輝度制御値（発光輝度値）を示す情報である。
【００１４】
図２にローカルディミング制御部１０１に入力される映像信号及びＢＬ制御エリアの点灯状態の時間変化の例を示す。図２（ａ）は、入力される映像信号に基づくフレーム画像を異なる３つの時刻について示した図である。図２（ａ）のフレーム画像１０１１、フレーム画像１０１２、及びフレーム画像１０１３に示すように、ここでは、暗い背景の画面中央部に明るい風車が映っており、この風車の羽の部分が時間と共に変化する映像を例に説明する。
【００１５】
この映像信号が入力された場合、ローカルディミング制御部１０１は、フレーム画像１０１１、１０１２、及び１０１３において明るい風車の映像が存在する位置に対応するＢＬ制御エリアのみを点灯させるように、ＢＬ制御エリア点灯情報を算出する。また、ローカルディミング制御部１０１は、暗い背景に対応するＢＬ制御エリアを消灯させるように、ＢＬ制御エリア点灯情報を算出する。
【００１６】
図２（ｂ）は、このようにして算出されたＢＬ制御エリア点灯情報に基づき各ＢＬ制御エリアを発光させた場合のＢＬ制御エリアの点灯状態を示す図である。図２（ｂ）のＢＬ制御エリア点灯状態１０１４、１０１５、及び１０１６は、それぞれフレーム画像１０１１，１０１２，及び１０１３を表示する際のＢＬ制御エリアの点灯状態を示す。
図２（ｂ）のＢＬ制御エリア点灯状態１０１４，１０１５，及び１０１６において、斜線で塗りつぶされた一つの四角い枠は点灯しないＢＬ制御エリアを示し、白色で塗りつぶされた一つの四角い枠は点灯するＢＬ制御エリアを示す。
【００１７】
図２（ｂ）のＢＬ制御エリア点灯状態１０１４、１０１５，及び１０１６に示されるように、ローカルディミング制御部１０１は、風車の映像がある位置に対応する４つのＢＬ
制御エリアＡ，Ｂ，Ｃ，及びＤのみ点灯するようにＢＬ制御エリア点灯情報を計算する。
ローカルディミング制御部１０１は、入力映像信号から算出したＢＬ制御エリア点灯情報を、静止ＢＬ制御エリア検出部１０２へ出力する。ローカルディミング制御部１０１は、本発明の設定手段として機能している。
【００１８】
図２（ａ）に示すようなフレーム画像内の明るい部分と暗い部分の位置や大きさがほとんど変化しない映像信号が入力されると、図２（ｂ）に示すようにＢＬ制御エリア点灯状態は変化しない。そのため、そのような映像信号の入力が継続する期間中、特定のＢＬ制御エリアがほとんど変化しない輝度値で点灯し続けるような制御が行われることになる。
【００１９】
図２に示す例では、点灯するＢＬ制御エリアＡ，Ｂ，Ｃ，及びＤの輝度制御値は、図２（ｂ）に示すような風車の映像信号が入力される期間中、ほとんど時間変化しない。輝度制御値の時間変化が小さいＢＬ制御エリアに属するＬＥＤライトは、長期間同一又はほとんど変化しない発光輝度で発光し続けることになるため、輝度劣化が平均的な輝度劣化よりも早くなるか又は遅くなり、輝度劣化にばらつきが生じる原因となりやすい。
【００２０】
静止ＢＬ制御エリア検出部１０２は、ローカルディミング制御部１０１で計算されたＢＬ制御エリア点灯情報の履歴に基づき、輝度制御値がほとんど時間変化しないＢＬ制御エリア（以下、静止ＢＬ制御エリアという）を検出する。静止ＢＬ制御エリア検出部１０２は、ＢＬ制御エリア毎に、輝度制御値の変化量（変動幅）と所定の閾値Ｔａ（以下、変動輝度差判定値という）とを比較することにより、静止ＢＬ制御エリアの検出を行う。
【００２１】
静止ＢＬ制御エリア検出部１０２は、輝度制御値の変動幅が変動輝度差判定値Ｔａ以下（閾値以下）の状態が所定期間以上継続したＢＬ制御エリアを、静止ＢＬ制御エリアであると判定し、そのＢＬ制御エリアの静止判定値Ｓｈを１とする。一方、輝度制御値の変動幅が変動輝度差判定値Ｔａ以下の状態が所定期間以上継続しないＢＬ制御エリアについては、静止判定値Ｓｈを０とする。
【００２２】
このように、輝度制御値の変動幅が変動輝度差判定値Ｔａ以下の状態が所定期間以上継続したか否かを判定することで、ＬＥＤライトの発光輝度の変化が小さく、ＬＥＤライトの輝度劣化ばらつきが発生しやすいＢＬ制御エリアを抽出することが可能となる。
【００２３】
所定期間は、輝度劣化のばらつきが発生し易くなると判断できる同一輝度制御値の継続時間の基準値であり、画像表示装置１の構成に応じて、例えばフレームオーダー、秒オーダー、分オーダー等の値になる。静止ＢＬ制御エリアは、本発明の静止分割領域に対応する。静止ＢＬ制御エリア検出部１０２は、本発明の検出手段として機能している。
【００２４】
静止ＢＬ制御エリア検出部１０２は、このＢＬ制御エリア毎の静止判定値Ｓｈと、ローカルディミング制御部１０１から入力されたＢＬ制御エリア点灯情報と、をＢＬエリア移動制御計算部１０３へ出力する。
【００２５】
なお、静止ＢＬ制御エリア検出部１０２が静止ＢＬ制御エリアを検出する方法は、上記の方法に限らない。
例えば、所定の時間間隔でＢＬ制御エリア点灯情報をサンプリングして保存する。そして、ＢＬ制御エリア点灯情報の保存を行うたびに、当該保存したＢＬ制御エリア点灯情報を前回保存したＢＬ制御エリア点灯情報と比較することにより、ＢＬ制御エリア毎に輝度制御値の変動幅を取得する。そして、取得したＢＬ制御エリア毎の輝度制御値の変動幅に基づき、静止ＢＬ制御エリアを検出することができる。また、保存された時刻が一定時間離れているＢＬ制御エリア点灯情報を読み出し、読み出したＢＬ制御エリア点灯情報を比較することにより、ＢＬ制御エリア毎に輝度制御値の変動幅を取得しても良い。その他、
ＢＬ制御エリア毎の輝度制御値の変化に基づく種々の方法により静止ＢＬ制御エリアを検出することができる。
【００２６】
ＢＬエリア移動制御計算部１０３は、静止ＢＬ制御エリア検出部１０２から入力されるＢＬ制御エリア毎の静止判定値Ｓｈとローカルディミング制御部１０１が算出したＢＬ制御エリア点灯情報とに基づき、ＢＬ制御エリア点灯変更情報を算出する。ＢＬ制御エリア点灯変更情報とは、ローカルディミング制御部１０１が算出したＢＬ制御エリア点灯情報に示されるＢＬ制御エリア毎の輝度制御値のうち、静止ＢＬ制御エリアの輝度制御値の変更を示す情報である。
【００２７】
ＢＬエリア移動制御計算部１０３は、静止ＢＬ制御エリアの存在に起因するＢＬ制御エリアのＬＥＤライトの輝度劣化のばらつきを軽減することができるように、ＢＬ制御エリア点灯変更情報を計算する。以下、ＢＬ制御エリア点灯変更情報の計算方法について説明する。ＢＬエリア移動制御計算部１０３が算出するＢＬ制御エリア点灯変更情報に基づき、静止ＢＬ制御エリアの発光輝度を変化させる制御を、本実施例では、静止ＢＬ制御エリア移動制御と称する。ＢＬエリア移動制御計算部１０３は、本発明の変更手段として機能している。
【００２８】
＜静止ＢＬ制御エリア移動制御（その１）＞
まず、静止ＢＬ制御エリアが複数存在する場合に、静止ＢＬ制御エリアの輝度制御値を１エリアずつ順次変化させていく静止ＢＬ制御エリア移動制御について図３及び図４に基づいて説明する。
図３は静止ＢＬ制御エリアの輝度制御値を変更する計算手順を示したフローチャートである。
図４は静止ＢＬ制御エリアの輝度制御値を変更した場合の、ＢＬ制御エリア点灯状態の変化を示す模式図である。
【００２９】
図３のステップＳ１０２１にて、ＢＬエリア移動制御計算部１０３は、静止ＢＬ制御エリア（静止ＢＬ制御エリア検出部１０２にて静止判定値Ｓｈが１に設定されたＢＬ制御エリア）の輝度制御値が所定の閾値Ｊｈ（以下、明るさ判定値という）以上か否かを判定する。
ＬＥＤライトは高輝度で発光するほど輝度劣化が生じ易い。このステップＳ１０２１は、静止ＢＬ制御エリアのうち、高輝度で発光しておりＬＥＤライトの輝度劣化が発生し易いと判断できる静止ＢＬ制御エリアを抽出するためのステップである。
ＢＬエリア移動制御計算部１０３の処理は、輝度制御値が明るさ判定値Ｊｈ以上（明るさ判定値以上）である静止ＢＬ制御エリア（以下、高輝度静止ＢＬ制御エリアという）を抽出した後、ステップＳ１０２２の処理に移行する。
【００３０】
ステップＳ１０２２では、ＢＬエリア移動制御計算部１０３は、ステップＳ１０２１で抽出した高輝度静止ＢＬ制御エリア毎に、隣接するＢＬ制御エリア（以下、隣接ＢＬ制御エリアという）との輝度制御値の差分が所定の閾値Ｋｈ以上か否かを判定する。所定の閾値Ｋｈを、以下、隣接輝度差判定値という。
高輝度静止ＢＬ制御エリアの輝度制御値と隣接ＢＬ制御エリアの輝度制御値との差異が大きいほど、これら２つのＢＬ制御エリアにおいてＬＥＤライトの輝度劣化のばらつきが発生し易い（顕著になり易い）。このステップＳ１０２２は、高輝度静止ＢＬ制御エリアのうち、隣接ＢＬ制御エリアとの輝度制御値の差異が大きい高輝度静止ＢＬ制御エリアを抽出するためのステップである。
【００３１】
ＢＬエリア移動制御計算部１０３は、隣接ＢＬ制御エリアとの輝度制御値の差異が隣接輝度差判定値Ｋｈ以上（隣接輝度差判定値以上）の高輝度静止ＢＬ制御エリアを、静止Ｂ
Ｌ制御エリア移動制御において輝度制御値を変化させる対象として決定する。静止ＢＬ制御エリア移動制御において輝度制御値を変化させる対象となる高輝度静止ＢＬ制御エリアを、以下、変更対象ＢＬ制御エリアという。
ＢＬエリア移動制御計算部１０３は、変更対象ＢＬ制御エリアを抽出した後、ステップＳ１０２３の処理へ移行する。
【００３２】
なお、高輝度静止ＢＬ制御エリアに隣接するＢＬ制御エリアが複数ある場合、いずれか一の隣接ＢＬ制御エリアとの間で上記の条件が満たされる場合に、その高輝度静止ＢＬ制御エリアを変更対象ＢＬ制御エリアとしても良い。或いは、全ての隣接ＢＬ制御エリアとの間で上記の条件が満たされる場合に、その高輝度静止ＢＬ制御エリアを変更対象ＢＬ制御エリアとしても良い。
【００３３】
変更対象ＢＬ制御エリアの例を、図４のＢＬ制御エリア点灯状態１０４１に示す。図４のＢＬ制御エリア点灯状態１０４１において、白色で塗りつぶされた４つのＢＬ制御エリアＡ，Ｂ，Ｃ，及びＤが、変更対象ＢＬ制御エリアである。
すなわち、この４つのＢＬ制御エリアは、輝度制御値の変化量が変動輝度差判定値Ｔａ以下の状態が所定期間継続しており、且つ、その輝度制御値が明るさ判定値Ｊｈ以上であり、且つ、隣接ＢＬ制御エリアとの輝度制御値の差分が隣接輝度差判定値Ｋｈ以上である。
以下、この４つの変更対象ＢＬ制御エリアＡ，Ｂ，Ｃ，及びＤの輝度制御値を、ローカルディミング制御部１０１が算出した輝度制御値（ＢＬ制御エリア点灯情報に定められた輝度制御値）から変更する。
【００３４】
ステップＳ１０２３では、ＢＬエリア移動制御計算部１０３は、ステップＳ１０２２で抽出した変更対象ＢＬ制御エリアの輝度制御値を隣接ＢＬ制御エリアに設定する。これにより、変更対象ＢＬ制御エリアに設定されていた輝度制御値が隣接ＢＬ制御エリアに移動する。
すなわち、変更対象ＢＬ制御エリアに設定されていた輝度制御値で、その変更対象ＢＬ制御エリアに隣接するＢＬ制御エリアが点灯するように、ＢＬ制御エリア点灯状態を変更する。また、変更対象ＢＬ制御エリアには、当該隣接ＢＬ制御エリアに設定されていた輝度制御値を設定する。或いは、変更対象ＢＬ制御エリアには、当初設定されていた輝度制御値との差異が変動輝度差判定値Ｔａを超える任意の輝度制御値を設定しても良い。或いは、変更対象ＢＬ制御エリアを単に消灯させても良い。
【００３５】
ステップＳ１０２２で複数の変更対象ＢＬ制御エリアが抽出された場合には、ＢＬエリア移動制御計算部１０３は、上記のような変更対象ＢＬ制御エリアの輝度制御値の移動を、１つの変更対象ＢＬ制御エリアずつ順々に行う。
ＢＬエリア移動制御計算部１０３は、このような変更対象ＢＬ制御エリアの輝度制御値の移動を実現するためのＢＬ制御エリア点灯変更情報を計算し、ＬＥＤ制御部１０４に出力する。
【００３６】
図４のＢＬ制御エリア点灯状態１０４２，１０４３，１０４４，及び１０４５は、ＢＬ制御エリア点灯状態１０４１を起点として変更対象ＢＬ制御エリアの輝度制御値を１エリアずつ順々に隣接ＢＬ制御エリアに移動させた場合のＢＬ制御エリア点灯状態の変化を示す。
【００３７】
まず、ＢＬ制御エリア点灯状態１０４１の白色で塗りつぶされた４つの変更対象ＢＬ制御エリアのうち、右下の変更対象ＢＬ制御エリアＡを非点灯状態とし、非点灯状態とした変更対象ＢＬ制御エリアＡの一つ下の隣接ＢＬ制御エリアＡ'を点灯状態とする。これに
より、ＢＬ制御エリア点灯状態１０４１はＢＬ制御エリア点灯状態１０４２に変化する。
隣接ＢＬ制御エリアＡ'には、ローカルディミング制御部１０１により計算されたＢＬ制
御エリア点灯情報において変更対象ＢＬ制御エリアＡに設定されていた輝度制御値が設定される。
【００３８】
次に、上述した変更対象ＢＬ制御エリアＡ及びその隣接ＢＬ制御エリアＡ'の輝度制御
値の変更を元に戻す。さらに、ＢＬ制御エリア点灯状態１０４１の白色で塗りつぶされた４つの変更対象ＢＬ制御エリアのうち、左下の変更対象ＢＬ制御エリアＢを非点灯状態とし、非点灯状態とした変更対象ＢＬ制御エリアＢの一つ下の隣接ＢＬ制御エリアＢ'を点
灯状態とする。
【００３９】
これにより、ＢＬ制御エリア点灯状態１０４２はＢＬ制御エリア点灯状態１０４３に変化する。隣接ＢＬ制御エリアＢ'には、ローカルディミング制御部１０１により計算され
たＢＬ制御エリア点灯情報において変更対象ＢＬ制御エリアＢに設定されていた輝度制御値が設定される。
【００４０】
次に、上述した変更対象ＢＬ制御エリアＢ及びその隣接ＢＬ制御エリアＢ'の輝度制御
値の変更を元に戻す。さらに、ＢＬ制御エリア点灯状態１０４１の白色で塗りつぶされた４つの変更対象ＢＬ制御エリアのうち、左上の変更対象ＢＬ制御エリアＣを非点灯状態とし、非点灯状態とした変更対象ＢＬ制御エリアＣの一つ上の隣接ＢＬ制御エリアＣ'を点
灯状態とする。
【００４１】
これによりＢＬ制御エリア点灯状態１０４３はＢＬ制御エリア点灯状態１０４４に変化する。隣接ＢＬ制御エリアＣ'には、ローカルディミング制御部１０１により計算された
ＢＬ制御エリア点灯情報において変更対象ＢＬ制御エリアＣに設定されていた輝度制御値が設定される。
【００４２】
次に、上述した変更対象ＢＬ制御エリアＣ及びその隣接ＢＬ制御エリアＣ'の輝度制御
値の変更を元に戻す。さらに、ＢＬ制御エリア点灯状態１０４１の白色で塗りつぶされた４つの変更対象ＢＬ制御エリアのうち、右上の変更対象ＢＬ制御エリアＤを非点灯状態とし、非点灯状態とした変更対象ＢＬ制御エリアＤの一つ上の隣接ＢＬ制御エリアＤ'を点
灯状態とする。
【００４３】
これによりＢＬ制御エリア点灯状態１０４４はＢＬ制御エリア点灯状態１０４５に変化する。隣接ＢＬ制御エリアＤ'には、ローカルディミング制御部１０１により計算された
ＢＬ制御エリア点灯情報において変更対象ＢＬ制御エリアＤに設定されていた輝度制御値が設定される。
【００４４】
次に、上述した変更対象ＢＬ制御エリアＤ及びその隣接ＢＬ制御エリアＤ'の輝度制御
値の変更を元に戻すと共に、再び上述したＢＬ制御エリア点灯状態１０４２にする。これにより、ＢＬ制御エリア点灯状態１０４５はＢＬ制御エリア点灯状態１０４２に変化する。
【００４５】
以下同様に、ＢＬ制御エリア点灯状態を図４に示すＢＬ制御エリア点灯状態１０４２→１０４３→１０４４→１０４５→１０４２の順に変更する。これにより、変更対象ＢＬ制御エリアの輝度制御値を隣接ＢＬ制御エリアに移動させる制御を、１つの変更対象ＢＬ制御エリアずつ順々に行う。
ＢＬエリア移動制御計算部１０３は、ＢＬ制御エリア点灯状態がこのように変化するような静止ＢＬ制御エリア移動制御を実現するためのＢＬ制御エリア点灯変更情報を計算し、ＬＥＤ制御部１０４に出力する。
ＢＬ制御エリア点灯状態１０４２，１０４３，１０４４，及び１０４５の間の遷移は、
例えば、１フレーム毎、数フレーム毎、一定期間おき等に行う。
【００４６】
変更対象ＢＬ制御エリアが、変更対象ＢＬ制御エリアの条件を満たす間、上述した静止ＢＬ制御エリア移動制御は継続して行われる。変更対象ＢＬ制御エリアの条件は、静止判定値Ｓｈが１、且つ、輝度制御値が明るさ判定値Ｊｈ以上、且つ、隣接ＢＬ制御エリアとの輝度制御値の差異が隣接輝度差判定値Ｋｈ以上、という条件である。
【００４７】
なお、変更対象ＢＬ制御エリアに隣接するＢＬ制御エリアが複数存在する場合、変更対象ＢＬ制御エリアの輝度制御値の移動先とする隣接ＢＬ制御エリアを、当該複数の隣接ＢＬ制御エリアのうちのいずれかに固定しても良い。或いは、変更対象ＢＬ制御エリアの輝度制御値の移動先とする隣接ＢＬ制御エリアを、当該複数の隣接ＢＬ制御エリア内で順次変更しても良い。或いは、変更対象ＢＬ制御エリアの輝度制御値の移動先とする隣接ＢＬ制御エリアを、輝度制御値の差異が隣接輝度差判定値Ｋｈ以上という条件を満たす隣接ＢＬ制御エリアに限定しても良い。
【００４８】
このようにＬＥＤライトの輝度劣化のばらつきが顕著になると判定されたＢＬ制御エリアの輝度制御値を隣接するＢＬ制御エリアに移動させて発光させることで、ＬＥＤライトの輝度劣化を複数のＢＬ制御エリアで平均化させることが可能となる。これにより、ＬＥＤライトの輝度劣化のばらつきを低減することが可能となる。
【００４９】
＜静止ＢＬ制御エリア移動制御（その２）＞
次に、静止ＢＬ制御エリアが複数存在する場合に、静止ＢＬ制御エリアの輝度制御値を複数エリア同時に変化させる静止ＢＬ制御エリア移動制御について図３及び図５に基づいて説明する。
図５は静止ＢＬ制御エリアの輝度制御値を変更した場合の、ＢＬ制御エリア点灯状態の変化を示す模式図である。
【００５０】
ステップＳ１０２１及びステップＳ１０２２の処理内容は上述の静止ＢＬ制御エリア移動制御の場合と同じである。
ステップＳ１０２２で複数の変更対象ＢＬ制御エリアが抽出された場合、ＢＬエリア移動制御計算部１０３は、ステップＳ１０２３に関して前述した変更対象ＢＬ制御エリアの輝度制御値の移動を、複数の変更対象ＢＬ制御エリアについて同時に行う。
【００５１】
これにより、複数の変更対象ＢＬ制御エリアに設定されていた輝度制御値が、それぞれの変更対象ＢＬ制御エリアに隣接するＢＬ制御エリアに、それぞれ同時に移動する。すなわち、複数の変更対象ＢＬ制御エリアそれぞれに設定されていた輝度制御値で、それぞれの変更対象ＢＬ制御エリアに隣接するＢＬ制御エリアが点灯するように、ＢＬ制御エリア点灯状態を変更する。
ＢＬエリア移動制御計算部１０３は、このような変更対象ＢＬ制御エリアの輝度制御値の移動を実現するためのＢＬ制御エリア点灯変更情報を計算し、ＬＥＤ制御部１０４に出力する。
【００５２】
図５のＢＬ制御エリア点灯状態１０５２，１０５３，１０５４，及び１０５５はＢＬ制御エリア点灯状態１０５１を起点として変更対象ＢＬ制御エリアの輝度制御値を２エリアずつ順々に隣接ＢＬ制御エリアに移動させた場合のＢＬ制御エリアの点灯状態の変化を示す。
【００５３】
まず、ＢＬ制御エリア点灯状態１０５１の白色で塗りつぶされた４つの変更対象ＢＬ制御エリアのうち、右上の変更対象ＢＬ制御エリアＤと右下の変更対象ＢＬ制御エリアＡを非点灯状態とする。また、右上の非点灯状態とした変更対象ＢＬ制御エリアＤの一つ上の
隣接ＢＬ制御エリアＤ'を点灯状態とし、右下の非点灯状態とした変更対象ＢＬ制御エリ
アＡの一つ下の隣接ＢＬ制御エリアＡ'を点灯状態とする。
【００５４】
これにより、ＢＬ制御エリア点灯状態１０５１はＢＬ制御エリア点灯状態１０５２に変化する。隣接ＢＬ制御エリアＡ'，Ｄ'には、ローカルディミング制御部１０１により計
算されたＢＬ制御エリア点灯情報において変更対象ＢＬ制御エリアＡ，Ｄに設定されていた輝度制御値がそれぞれ設定される。
【００５５】
次に、上述した変更対象ＢＬ制御エリアＡ，Ｄ及びその隣接ＢＬ制御エリアＡ'，Ｄ'
の輝度制御値の変更を元に戻す。さらに、ＢＬ制御エリア点灯状態１０５１の白色で塗りつぶされた４つの変更対象ＢＬ制御エリアのうち、左上の変更対象ＢＬ制御エリアＣと左下の変更対象ＢＬ制御エリアＢを非点灯状態とする。
また、左上の非点灯状態とした変更対象ＢＬ制御エリアＣの一つ上の隣接ＢＬ制御エリアＣ'を点灯状態とし、左下の非点灯状態とした変更対象ＢＬ制御エリアＢの一つ下の隣
接ＢＬ制御エリアＢ'を点灯状態とする。
【００５６】
これにより、ＢＬ制御エリア点灯状態１０５２はＢＬ制御エリア点灯状態１０５３に変化する。隣接ＢＬ制御エリアＢ'，Ｃ'には、ローカルディミング制御部１０１により計
算されたＢＬ制御エリア点灯情報において変更対象ＢＬ制御エリアＢ，Ｃに設定されていた輝度制御値がそれぞれ設定される。
【００５７】
次に、上述した変更対象ＢＬ制御エリアＢ，Ｃ及びその隣接ＢＬ制御エリアＢ'，Ｃ'
の輝度制御値の変更を元に戻す。さらに、ＢＬ制御エリア点灯状態１０５１の白色で塗りつぶされた４つの変更対象ＢＬ制御エリアのうち、左上の変更対象ＢＬ制御エリアＣと右上の変更対象ＢＬ制御エリアＤを非点灯状態とする。
また、左上の非点灯状態とした変更対象ＢＬ制御エリアＣの一つ左の隣接ＢＬ制御エリアＣ''を点灯状態とし、右上の非点灯状態とした変更対象ＢＬ制御エリアＤの一つ右の
隣接ＢＬ制御エリアＤ''を点灯状態とする。
【００５８】
これにより、ＢＬ制御エリア点灯状態１０５３はＢＬ制御エリア点灯状態１０５４に変化する。隣接ＢＬ制御エリアＣ''，Ｄ''には、ローカルディミング制御部１０１によ
り計算されたＢＬ制御エリア点灯情報において変更対象ＢＬ制御エリアＣ，Ｄに設定されていた輝度制御値がそれぞれ設定される。
【００５９】
次に、上述した変更対象ＢＬ制御エリアＣ，Ｄ及びその隣接ＢＬ制御エリアＣ''，Ｄ
''の輝度制御値の変更を元に戻す。さらに、ＢＬ制御エリア点灯状態１０５１の白色で
塗りつぶされた４つの変更対象ＢＬ制御エリアのうち、左下の変更対象ＢＬ制御エリアＢと右下の変更対象ＢＬ制御エリアＡを非点灯状態とする。
また、左下の非点灯状態とした変更対象ＢＬ制御エリアＢの一つ左の隣接ＢＬ制御エリアＢ''を点灯状態とし、右下の非点灯状態とした変更対象ＢＬ制御エリアＡの一つ右の
隣接ＢＬ制御エリアＡ''を点灯状態とする。
【００６０】
これにより、ＢＬ制御エリア点灯状態１０５４はＢＬ制御エリア点灯状態１０５５に変化する。隣接ＢＬ制御エリアＢ''，Ａ''には、ローカルディミング制御部１０１によ
り計算されたＢＬ制御エリア点灯情報において変更対象ＢＬ制御エリアＢ，Ａに設定されていた輝度制御値がそれぞれ設定される。
【００６１】
次に、上述した変更対象ＢＬ制御エリアＢ，Ａ及びその隣接ＢＬ制御エリアＢ''，Ａ
''の輝度制御値の変更を元に戻すと共に、再び上述したＢＬ制御エリア点灯状態１０５
２にする。これにより、ＢＬ制御エリア点灯状態１０５５はＢＬ制御エリア点灯状態１０
５２に変化する。
【００６２】
以下同様に、ＢＬ制御エリア点灯状態を図５に示すＢＬ制御エリア点灯状態１０５２→１０５３→１０５４→１０５５→１０５２の順に変更する。これにより、変更対象ＢＬ制御エリアの輝度制御値を隣接ＢＬ制御エリアに移動させる制御を、複数の変更対象ＢＬ制御エリアについて同時に行う。
ＢＬエリア移動制御計算部１０３は、ＢＬ制御エリア点灯状態がこのように変化するような静止ＢＬ制御エリア移動制御を実現するためのＢＬ制御エリア点灯変更情報を計算し、ＬＥＤ制御部１０４に出力する。
ＢＬ制御エリア点灯状態１０５２，１０５３，１０５４，及び１０５５の間の遷移は、例えば、１フレーム毎、数フレーム毎、一定期間おき等に行う。
【００６３】
変更対象ＢＬ制御エリアが、変更対象ＢＬ制御エリアの条件を満たす間、上述した静止ＢＬ制御エリア移動制御は継続して行われる。変更対象ＢＬ制御エリアの条件は、静止判定値Ｓｈが１、且つ、輝度制御値が明るさ判定値Ｊｈ以上、且つ、隣接ＢＬ制御エリアとの輝度制御値の差異が隣接輝度差判定値Ｋｈ以上、という条件である。
【００６４】
なお、変更対象ＢＬ制御エリアに隣接するＢＬ制御エリアが複数存在する場合、変更対象ＢＬ制御エリアの輝度制御値の移動先とする隣接ＢＬ制御エリアを、当該複数の隣接ＢＬ制御エリアのうちのいずれかに固定しても良い。或いは、変更対象ＢＬ制御エリアの輝度制御値の移動先とする隣接ＢＬ制御エリアを、当該複数の隣接ＢＬ制御エリア内で順次変更しても良い。或いは、変更対象ＢＬ制御エリアの輝度制御値の移動先とする隣接ＢＬ制御エリアを、輝度制御値の差異が隣接輝度差判定値Ｋｈ以上という条件を満たす隣接ＢＬ制御エリアに限定しても良い。
【００６５】
このように変更対象ＢＬ制御エリアが複数ある場合に、複数のうちの一部（上記の例では４つのうち２つ）の変更対象ＢＬ制御エリアからなるグループ（静止分割領域群に対応する）を規定する。そして、輝度制御値を変更する変更対象ＢＬ制御エリアのグループを、複数の変更対象ＢＬ制御エリアに基づき規定可能な複数のグループのうちで１つずつ順次変更していく。
【００６６】
静止ＢＬ制御エリア移動制御において複数個の変更対象ＢＬ制御エリアの輝度制御値を同時に隣接ＢＬ制御エリアに移動して発光させることにより、ＬＥＤライトの輝度劣化を複数のＢＬ制御エリアで平均化させることが可能となる。これにより、ＬＥＤライトの輝度劣化のばらつきを低減することが可能となる。
【００６７】
ＬＥＤ制御部１０４は、ＢＬエリア移動制御計算部１０３から入力されたＢＬ制御エリア点灯変更情報に基づき、ＬＥＤ部１０５に対して電流を流しＬＥＤライトを発光させる。ＬＥＤ制御部１０４は、本発明の発光制御手段として機能している。
【００６８】
ＬＥＤ部１０５は、ＬＥＤ制御部１０４から出力されるＢＬ制御エリア毎に決められた電流値で発光する。
【００６９】
表示部１０６は、入力された映像信号の表示を行う。表示部１０６は、映像信号と、ＢＬエリア移動制御計算部１０３から入力されるＢＬ制御エリア点灯変更情報と、に基づき、各ＢＬ制御エリアに対応する液晶素子に印加する駆動電圧を調節する。
【００７０】
以上のように、実施例１の画像表示装置１は、ＢＬ制御エリア毎の輝度制御値の変化に基づき、輝度制御値の時間変化が小さく輝度劣化ばらつきが発生し易い静止ＢＬ制御エリアを検出する。そして、検出した静止ＢＬ制御エリアの輝度制御値を隣接するＢＬ制御エ
リアの輝度制御値として設定することで、静止ＢＬ制御エリアの輝度制御値を隣接ＢＬ制御エリアに移動させる。
【００７１】
これにより、静止ＢＬ制御エリアと隣接ＢＬ制御エリアとの輝度劣化が平均化されるので、ＬＥＤライトの輝度劣化のばらつきの発生を低減することが可能となる。
また、変更対象ＢＬ制御エリアは当初設定されていた輝度制御値と異なる輝度制御値で発光することになるものの、当該変更対象ＢＬ制御エリアに隣接するＢＬ制御エリアが当該変更対象ＢＬ制御エリアに当初設定されていた輝度制御値で発光する。そのため、変更対象ＢＬ制御エリアに対応する表示領域に表示される画像（静止領域）の表示輝度の変化が抑制され、画像の見え方に違和感を生じることを抑制することが可能になる。本実施例の静止ＢＬ制御エリア移動制御によれば、高輝度かつ輝度変動が小さくかつ低輝度領域に隣接する静止領域を含む画像を、例えば全画面表示する場合も、画像の見え方に違和感を生じることを抑えつつバックライトの輝度劣化のばらつきを抑制できる。従って、ローカルディミング制御が可能なバックライトを有する画像表示装置において、輝度むらや色むらを抑えることができるとともに、画像の静止領域を好適に表示することが可能になる。
【００７２】
なお、静止ＢＬ制御エリアの輝度制御値を隣接ＢＬ制御エリアへ移動させる方法は、上述した方法に限らない。輝度制御値の時間変化が小さい静止ＢＬ制御エリアを非点灯状態とし、それに隣接するＢＬ制御エリアを点灯状態とする制御であれば、静止ＢＬ制御エリアと隣接ＢＬ制御エリアとで輝度劣化が平均化されるため、本発明の課題が解決される。
【００７３】
静止ＢＬ制御エリアに隣接するＢＬ制御エリアに当初設定されていた発光状態が非点灯状態ではない場合は、静止ＢＬ制御エリアを非点灯状態とする代わりに、当該隣接ＢＬ制御エリアの点灯状態で静止ＢＬ制御エリアを点灯させるようにしても良い。
【００７４】
（実施例２）
実施例２では、ＢＬ制御エリア点灯状態を変化させる前後での変更対象ＢＬ制御エリアの輝度値の差異を所定の閾値Ｎｈ（以下、輝度変動許容値という）以下（許容値以下）にすることができる静止ＢＬ制御エリア移動制御について説明する。輝度変動許容値Ｎｈは、ユーザにとって許容可能な輝度値の変化量の基準値であり、実験等により予め定められる固定値であっても良いし、ユーザによって調整可能な可変値であっても良い。また、実施例２では、あるＢＬ制御エリアの発光が周辺のＢＬ制御エリアの輝度値に与える影響（拡散光の影響）を考慮して静止ＢＬ制御エリア移動制御を行う方法について説明する。
【００７５】
図６は本実施例の画像表示装置の構成を示したブロック図である。
図６の画像表示装置２と実施例１の画像表示装置１との違いは、ＢＬ拡散発光エリア計算部１０７が追加された点と、ＢＬエリア拡散移動制御計算部１０８がＬＥＤ制御部１０４及び表示部１０６へのＢＬ制御エリア点灯変更情報の出力を行う点である。
【００７６】
以上のように構成された画像表示装置２について、以下で実施例１の画像表示装置１との違いを中心に説明する。本実施例では、ローカルディミング制御部１０１には、実施例１と同様の図２に示す映像信号が入力されるものとする。またローカルディミング制御部１０１、静止ＢＬ制御エリア検出部１０２は実施例１と同じ動作のため説明を省略する。
【００７７】
ＢＬ拡散発光エリア計算部１０７は、ローカルディミング制御部１０１で計算されたＢＬ制御エリア点灯情報に基づき、点灯するＢＬ制御エリアの拡散光輝度値情報を計算する。拡散光輝度値情報とは、点灯しているＢＬ制御エリアからの拡散光が周辺のＢＬ制御エリアに及ぼす影響を加味して計算されるＢＬ制御エリア毎の輝度値の情報である。ＢＬ拡散発光エリア計算部１０７は、本発明の算出手段として機能している。
【００７８】
点灯しているＢＬ制御エリアからの拡散光の影響を加味してＢＬ制御エリア毎の輝度値を計算する方法について、図７のフローチャート及び図８の模式図を用いて説明する。
図７は点灯しているＢＬ制御エリアからの拡散光の影響を加味してＢＬ制御エリア毎の輝度値を計算する手順を示したフローチャートである。
図８は点灯しているＢＬ制御エリアからの拡散光の影響を加味してＢＬ制御エリア毎の輝度値を計算する方法を表す模式図である。
【００７９】
まず、ステップＳ２００１にて、ＢＬ拡散発光エリア計算部１０７は、ローカルディミング制御部１０１から入力されたＢＬ制御エリア点灯情報に基づき、点灯しているＢＬ制御エリア（以下、点灯ＢＬ制御エリアという）を抽出し、ステップＳ２００２に移行する。ここでは、図４のＢＬ制御エリア点灯状態１０４１に示すＢＬ制御エリアＡ，Ｂ，Ｃ，及びＤが、ＢＬ拡散発光エリア計算部１０７により抽出された点灯ＢＬ制御エリアであるとする。
【００８０】
次に、ステップＳ２００２にて、ＢＬ拡散発光エリア計算部１０７は、ステップＳ２００１で抽出した点灯ＢＬ制御エリア毎に隣接ＢＬ制御エリアに影響を与える拡散光の輝度値を計算する。
点灯ＢＬ制御エリア毎に拡散光の輝度値を計算する方法について図８を用いて説明する。
【００８１】
図８（ｂ）は抽出した４つの点灯ＢＬ制御エリアのうち左上のＢＬ制御エリアＣのみが点灯しているＢＬ制御エリア点灯状態を示す模式図である。
図８（ａ）は、点灯ＢＬ制御エリアＣからの拡散光の影響を加味してＢＬ拡散発光エリア計算部１０７が計算した、図８（ｂ）の破線２０１１上のＢＬ制御エリアの輝度値を示した図である。
図８（ａ）に示すように、点灯ＢＬ制御エリアＣからの拡散光を加味したＢＬ制御エリアの輝度値は、点灯ＢＬ制御エリアＣが最も大きく、点灯ＢＬ制御エリアＣから離れるほど小さくなる。図８（ｂ）に示すように、点灯ＢＬ制御エリアＣの周辺のＢＬ制御エリアは、非点灯状態だが、点灯ＢＬ制御エリアＣからの拡散光の影響で輝度値はゼロではない。
【００８２】
このようにして、ＢＬ拡散発光エリア計算部１０７は、１つのＢＬ制御エリアのみが点灯しているＢＬ制御エリア点灯状態（以下、単点灯状態という）を仮定して、当該点灯ＢＬ制御エリアからの拡散光の影響を加味して、各ＢＬ制御エリアの輝度値を計算する。このようにして計算されたＢＬ制御エリアの輝度値を、以下、拡散光輝度値という。図８（ａ）は図８（ｂ）の破線２０１１上のＢＬ制御エリアの輝度値のみを示しているが、ＢＬ拡散発光エリア計算部１０７は、全てのＢＬ制御エリアの輝度値を計算する。
【００８３】
点灯ＢＬ制御エリアが複数存在する場合、ＢＬ拡散発光エリア計算部１０７は、各点灯ＢＬ制御エリアについて単点灯状態を仮定した拡散光輝度値の計算を行う。ここでは、ＢＬ拡散発光エリア計算部１０７は、上述した点灯ＢＬ制御エリアＣ以外の残り３つの点灯ＢＬ制御エリアＡ，Ｂ，及びＤについても同様に、各点灯ＢＬ制御エリアの単点灯状態を仮定して拡散光輝度値の計算を行う。
【００８４】
図８（ｄ）は、４つの点灯ＢＬ制御エリアのうち右上のＢＬ制御エリアＤのみが点灯している単点灯状態を示す模式図である。図８（ｃ）は、図８（ｄ）に示す単点灯状態を仮定して、点灯ＢＬ制御エリアＤからの拡散光の影響を加味して計算された、破線２０１２上のＢＬ制御エリアの拡散光輝度値を示した図である。
【００８５】
図８（ｆ）は、４つの点灯ＢＬ制御エリアのうち左下のＢＬ制御エリアＢのみが点灯し
ている単点灯状態を示す模式図である。図８（ｅ）は、図８（ｆ）に示す単点灯状態を仮定して、点灯ＢＬ制御エリアＢからの拡散光の影響を加味して計算された、破線２０１３上のＢＬ制御エリアの拡散光輝度値を示した図である。
【００８６】
図８（ｈ）は、４つの点灯ＢＬ制御エリアのうち右下のＢＬ制御エリアＡのみが点灯している単点灯状態を示す模式図である。図８（ｇ）は、図８（ｈ）に示す単点灯状態を仮定して、点灯ＢＬ制御エリアＡからの拡散光の影響を加味して計算された、破線２０１４上のＢＬ制御エリアの拡散光輝度値を示した図である。
【００８７】
全ての点灯ＢＬ制御エリアについて、単点灯状態を仮定した拡散光輝度値を計算したら、ＢＬ拡散発光エリア計算部１０７は、ステップＳ２００３に移行する。
【００８８】
次に、ステップＳ２００３では、ＢＬ拡散発光エリア計算部１０７は、ステップＳ２００２で計算した全ての点灯ＢＬ制御エリアの拡散光輝度値をＢＬ制御エリア毎に加算する。これにより、４つの点灯ＢＬ制御エリアが同時に点灯したＢＬ制御エリア点灯状態での各ＢＬ制御エリアの輝度値を計算する。
【００８９】
図８（ｊ）は４つの点灯ＢＬ制御エリアが全て点灯しているＢＬ制御エリア点灯状態を示す模式図である。図８（ｉ）は、図８（ｊ）に示すＢＬ制御エリア点灯状態における破線２０１５上のＢＬ制御エリアの拡散光輝度値を示した図である。
図８（ｉ）に示すように、図８（ａ），（ｃ），（ｅ），及び（ｇ）に示す、４つのＢＬ制御エリアのそれぞれの単点灯状態を仮定して計算した拡散光輝度値を加算したものが、４つのＢＬ制御エリア全てが点灯した場合の各ＢＬ制御エリアの輝度値となる。
【００９０】
次にステップＳ２００４では、ＢＬ拡散発光エリア計算部１０７は、ステップＳ２００３で計算した各ＢＬ制御エリアの輝度値の情報をＢＬエリア拡散移動制御計算部１０８へ出力する。
【００９１】
ＢＬエリア拡散移動制御計算部１０８は、ＢＬ拡散発光エリア計算部１０７から入力された各ＢＬ制御エリアの輝度値の情報と、静止ＢＬ制御エリア検出部１０２から入力された各ＢＬ制御エリアの静止判定値Ｓｈと、に基づきＢＬ制御エリア点灯変更情報を計算する。
ＢＬエリア拡散移動制御計算部１０８は、静止ＢＬ制御エリア移動制御によりＢＬ制御エリア点灯情報を変化させる前後での変更対象ＢＬ制御エリアの輝度値の差異が輝度変動許容値Ｎｈ以下となるように、ＢＬ制御エリア点灯変更情報を計算する。
【００９２】
このＢＬ制御エリア点灯変更情報の計算方法について図９の模式図を用いて説明する。ここでは、図４のＢＬ制御エリア点灯状態１０４１に示す４つのＢＬ制御エリアＡ，Ｂ，Ｃ，及びＤが変更対象ＢＬ制御エリアと判定されたＢＬ制御エリアであるとする。
【００９３】
図９は、ローカルディミング制御部１０１が計算したＢＬ制御エリア点灯情報に基づきＢＬ制御エリアを点灯させた場合と、そのＢＬ制御エリア点灯情報を変化させてＢＬ制御エリアを点灯させた場合と、の点灯状態及び輝度値の変化を示す図である。
【００９４】
図９（ｅ），（ｋ），及び（ｑ）は、ローカルディミング制御部１０１が計算したＢＬ制御エリア点灯情報に基づくＢＬ制御エリア点灯状態（以下、変更前ＢＬ制御エリア点灯状態という）を示す図である。
図９（ｆ），（ｌ），及び（ｒ）は、ローカルディミング制御部１０１が計算したＢＬ制御エリア点灯情報を変化させた場合のＢＬ制御エリア点灯状態（以下、変更後ＢＬ制御エリア点灯状態という）を示す図である。
【００９５】
まず、図９（ｅ）に示す変更前ＢＬ制御エリア点灯状態におけるＢＬ制御エリアの輝度値を計算する。
図９（ａ）は、図９（ｅ）に示す変更前ＢＬ制御エリア点灯状態における破線２０３１上のＢＬ制御エリアの輝度値を示す。
図９（ｃ）は、図９（ｅ）に示す変更前ＢＬ制御エリア点灯状態における破線２０３２上のＢＬ制御エリアの輝度値を示す。
【００９６】
次に、図９（ｅ）に示す４つの変更対象ＢＬ制御エリアのうち右上の変更対象ＢＬ制御エリアＤを非点灯状態とした場合の、この４つの変更対象ＢＬ制御エリアの輝度値の変化を計算する。
図９（ｆ）は、４つの変更対象ＢＬ制御エリアのうち右上の変更対象ＢＬ制御エリアＤを非点灯状態とした場合の変更後ＢＬ制御エリア点灯状態を示す図である。
図９（ｂ）は、図９（ｆ）に示す変更後ＢＬ制御エリア点灯状態における破線２０３３上のＢＬ制御エリアの輝度値を示す。
図９（ｄ）は、図９（ｆ）に示す変更後ＢＬ制御エリア点灯状態における破線２０３４上のＢＬ制御エリアの輝度値を示す。
【００９７】
図９（ｂ）及び（ｄ）に示すように、変更後ＢＬ制御エリア点灯状態を図９（ｆ）のようにすると、ＢＬ制御エリア点灯状態の変更前後での変更対象ＢＬ制御エリアＡ，Ｃ，及びＤの輝度値の変化が輝度変動許容値Ｎｈを超えることになる。
【００９８】
そこで、以下に示すＢＬ制御エリア点灯計算処理を行い、ＢＬ制御エリア点灯状態の変更前後での４つの変更対象ＢＬ制御エリアの輝度値の変化が輝度変動許容値Ｎｈ以下となるような変更後ＢＬ制御エリア点灯状態を求める。
【００９９】
まず、図９（ｆ）に示すＢＬ制御エリア点灯状態に対し、点灯するＢＬ制御エリアを一つ追加したＢＬ制御エリア点灯状態について計算する。
図９（ｌ）は、図９（ｆ）に示すＢＬ制御エリア点灯状態において非点灯状態とした右上のＢＬ制御エリアＤの一つ上の隣接ＢＬ制御エリアＤ'を点灯させたＢＬ制御エリア点
灯状態を示す。
【０１００】
図９（ｋ）に示す変更前ＢＬ制御エリア点灯状態を、図９（ｌ）に示す変更後ＢＬ制御エリア点灯状態に変化させた場合の、４つの変更対象ＢＬ制御エリアの輝度値の変化を計算する。
図９（ｈ）は、図９（ｌ）に示す変更後ＢＬ制御エリア点灯状態における破線２０３７上のＢＬ制御エリアの輝度値を示す。
図９（ｊ）は、図９（ｌ）に示す変更後ＢＬ制御エリア点灯状態における破線２０３８上のＢＬ制御エリアの輝度値を示す。
【０１０１】
図９（ｈ）及び（ｊ）に示すように、変更後ＢＬ制御エリア点灯状態を図９（ｌ）のようにすると、ＢＬ制御エリア点灯状態の変更前後での変更対象ＢＬ制御エリアＤの輝度値の変化が輝度変動許容値Ｎｈを超えることになる。
【０１０２】
そこで、さらにＢＬ制御エリア点灯計算処理を行い、ＢＬ制御エリア点灯状態の変更前後での４つの変更対象ＢＬ制御エリアの輝度値の変化が輝度変動許容値Ｎｈ以下となるような変更後ＢＬ制御エリア点灯状態を求める。
【０１０３】
次に、図９（ｌ）に示すＢＬ制御エリア点灯状態に対し、点灯するＢＬ制御エリアを一つ追加したＢＬ制御エリア点灯状態について計算する。
図９（ｒ）は、図９（ｌ）に示すＢＬ制御エリア点灯状態において非点灯状態とした右上のＢＬ制御エリアＤの一つ右の隣接ＢＬ制御エリアＤ''を点灯させたＢＬ制御エリア
点灯状態を示す。
【０１０４】
図９（ｑ）に示す変更前ＢＬ制御エリア点灯状態を、図９（ｒ）に示す変更後ＢＬ制御エリア点灯状態に変化させた場合の、４つの変更対象ＢＬ制御エリアの輝度値の変化を計算する。
図９（ｎ）は、図９（ｒ）に示す変更後ＢＬ制御エリア点灯状態における破線２０４１上のＢＬ制御エリアの輝度値を示す。
図９（ｐ）は、図９（ｒ）に示す変更後ＢＬ制御エリア点灯状態における破線２０４２上のＢＬ制御エリアの輝度値を示す。
【０１０５】
図９（ｎ）及び（ｐ）に示すように、変更後ＢＬ制御エリア点灯状態を図９（ｒ）のようにすると、ＢＬ制御エリア点灯状態の変更前後での４つの変更対象ＢＬ制御エリアすべての輝度値の変化が輝度変動許容値Ｎｈ以下となる。
【０１０６】
従って、ＢＬ制御エリア点灯状態を図９（ｑ）から図９（ｒ）に変化させるように静止ＢＬ制御エリア移動制御を行うことにより、ＢＬ制御エリア点灯状態の変更前後での変更対象ＢＬ制御エリアの輝度値の変化が許容範囲内になるようにすることができる。
このようにして、ＢＬ制御エリア点灯状態の変更前後での変更対象ＢＬ制御エリアの輝度値の変化が輝度変動許容値Ｎｈ以下となるような変更後ＢＬ制御エリア点灯状態が求まる。
以上で、変更対象ＢＬ制御エリアＤを非点灯状態とし、且つ、全ての変更対象ＢＬ制御エリアの輝度値の変化を許容範囲内にすることができるＢＬ制御エリア点灯変更情報の計算が終了する。
【０１０７】
ＢＬエリア拡散移動制御計算部１０８は、以上のようにして計算した、ＢＬ制御エリア点灯変更情報を、ＬＥＤ制御部１０４に対して出力する。
【０１０８】
ＢＬエリア拡散移動制御計算部１０８は、４つの変更対象ＢＬ制御エリアそれぞれについて、変更対象ＢＬ制御エリアを非点灯状態とし、且つ、全ての変更対象ＢＬ制御エリアの輝度値の変化を許容範囲内にすることができるＢＬ制御エリア点灯変更情報を計算する。
【０１０９】
図１０及び図１１は、ローカルディミング制御部１０１が計算したＢＬ制御エリア点灯情報に基づきＢＬ制御エリアを点灯させた場合と、そのＢＬ制御エリア点灯情報を変化させてＢＬ制御エリアを点灯させた場合と、の点灯状態及び輝度値の変化を示す図である。
【０１１０】
図１０（ｅ），（ｋ），図１１（ｑ），（ｗ）は、ローカルディミング制御部１０１が計算したＢＬ制御エリア点灯情報に基づくＢＬ制御エリア点灯状態（変更前ＢＬ制御エリア点灯状態）を示す図である。
図１０（ｆ），（ｌ），図１１（ｒ），（ｘ）は、ローカルディミング制御部１０１が計算したＢＬ制御エリア点灯情報を変化させた場合のＢＬ制御エリア点灯状態（変更後ＢＬ制御エリア点灯状態）を示す図である。
【０１１１】
まず、４つの変更対象ＢＬ制御エリアのうち右上の変更対象ＢＬ制御エリアＤを消灯させる静止ＢＬ制御エリア移動制御を行う場合について説明する。
図１０（ｅ）に示す変更前ＢＬ制御エリア点灯状態におけるＢＬ制御エリアの輝度値を計算する。
図１０（ａ）は、図１０（ｅ）に示す変更前ＢＬ制御エリア点灯状態における破線２０
５１上のＢＬ制御エリアの輝度値を示す。
図１０（ｃ）は、図１０（ｅ）に示す変更前ＢＬ制御エリア点灯状態における破線２０５２上のＢＬ制御エリアの輝度値を示す。
【０１１２】
図１０（ｆ）に示す変更後ＢＬ制御エリア点灯状態におけるＢＬ制御エリアの輝度値を計算する。図１０（ｆ）に示す変更後ＢＬ制御エリア点灯状態は、図９で説明したような計算過程によりＢＬエリア拡散移動制御計算部１０８により算出されたＢＬ制御エリア点灯変更情報により実現されるＢＬ制御エリア点灯状態である。
図１０（ｂ）は、図１０（ｆ）に示す変更後ＢＬ制御エリア点灯状態における破線２０５３上のＢＬ制御エリアの輝度値を示す。
図１０（ｄ）は、図１０（ｆ）に示す変更後ＢＬ制御エリア点灯状態における破線２０５４上のＢＬ制御エリアの輝度値を示す。
【０１１３】
図１０（ｂ）及び（ｄ）に示すように、変更後ＢＬ制御エリア点灯状態を図１０（ｆ）のようにすると、ＢＬ制御エリア点灯状態の変更前後での４つの変更対象ＢＬ制御エリアすべての輝度値の変化が輝度変動許容値Ｎｈ以下となる。
従って、変更対象ＢＬ制御エリアＤを消灯させる場合、ＢＬ制御エリア点灯状態を図１０（ｅ）から図１０（ｆ）に変化させるように静止ＢＬ制御エリア移動制御を行う。これにより、ＢＬ制御エリア点灯状態の変更前後での変更対象ＢＬ制御エリアの輝度値の変化が許容範囲内になるようにすることができる。
【０１１４】
次に、４つの変更対象ＢＬ制御エリアのうち右下の変更対象ＢＬ制御エリアＡを消灯させる静止ＢＬ制御エリア移動制御を行う場合について説明する。
図１０（ｋ）に示す変更前ＢＬ制御エリア点灯状態におけるＢＬ制御エリアの輝度値を計算する。
図１０（ｇ）は、図１０（ｋ）に示す変更前ＢＬ制御エリア点灯状態における破線２０５５上のＢＬ制御エリアの輝度値を示す。
図１０（ｉ）は、図１０（ｋ）に示す変更前ＢＬ制御エリア点灯状態における破線２０５６上のＢＬ制御エリアの輝度値を示す。
【０１１５】
図１０（ｌ）に示す変更後ＢＬ制御エリア点灯状態におけるＢＬ制御エリアの輝度値を計算する。図１０（ｌ）に示す変更後ＢＬ制御エリア点灯状態は、図９で説明したような計算過程によりＢＬエリア拡散移動制御計算部１０８により算出されたＢＬ制御エリア点灯変更情報により実現されるＢＬ制御エリア点灯状態である。
図１０（ｈ）は、図１０（ｌ）に示す変更後ＢＬ制御エリア点灯状態における破線２０５７上のＢＬ制御エリアの輝度値を示す。
図１０（ｊ）は、図１０（ｌ）に示す変更後ＢＬ制御エリア点灯状態における破線２０５８上のＢＬ制御エリアの輝度値を示す。
【０１１６】
図１０（ｈ）及び（ｊ）に示すように、変更後ＢＬ制御エリア点灯状態を図１０（ｌ）のようにすると、ＢＬ制御エリア点灯状態の変更前後での４つの変更対象ＢＬ制御エリアすべての輝度値の変化が輝度変動許容値Ｎｈ以下となる。
従って、変更対象ＢＬ制御エリアＡを消灯させる場合、ＢＬ制御エリア点灯状態を図１０（ｋ）から図１０（ｌ）に変化させるように静止ＢＬ制御エリア移動制御を行う。これにより、ＢＬ制御エリア点灯状態の変更前後での変更対象ＢＬ制御エリアの輝度値の変化が許容範囲内になるようにすることができる。
【０１１７】
次に、４つの変更対象ＢＬ制御エリアのうち左下の変更対象ＢＬ制御エリアＢを消灯させる静止ＢＬ制御エリア移動制御を行う場合について説明する。
図１１（ｑ）に示す変更前ＢＬ制御エリア点灯状態におけるＢＬ制御エリアの輝度値を
計算する。
図１１（ｍ）は、図１１（ｑ）に示す変更前ＢＬ制御エリア点灯状態における破線２０５９上のＢＬ制御エリアの輝度値を示す。
図１１（ｏ）は、図１１（ｑ）に示す変更前ＢＬ制御エリア点灯状態における破線２０６０上のＢＬ制御エリアの輝度値を示す。
【０１１８】
図１１（ｒ）に示す変更後ＢＬ制御エリア点灯状態におけるＢＬ制御エリアの輝度値を計算する。図１１（ｒ）に示す変更後ＢＬ制御エリア点灯状態は、図９で説明したような計算過程によりＢＬエリア拡散移動制御計算部１０８により算出されたＢＬ制御エリア点灯変更情報により実現されるＢＬ制御エリア点灯状態である。
図１１（ｎ）は、図１１（ｒ）に示す変更後ＢＬ制御エリア点灯状態における破線２０６１上のＢＬ制御エリアの輝度値を示す。
図１１（ｐ）は、図１１（ｒ）に示す変更後ＢＬ制御エリア点灯状態における破線２０６２上のＢＬ制御エリアの輝度値を示す。
【０１１９】
図１１（ｎ）及び（ｐ）に示すように、変更後ＢＬ制御エリア点灯状態を図１１（ｒ）のようにすると、ＢＬ制御エリア点灯状態の変更前後での４つの変更対象ＢＬ制御エリアすべての輝度値の変化が輝度変動許容値Ｎｈ以下となる。
従って、変更対象ＢＬ制御エリアＢを消灯させる場合、ＢＬ制御エリア点灯状態を図１１（ｑ）から図１１（ｒ）に変化させるように静止ＢＬ制御エリア移動制御を行う。これにより、ＢＬ制御エリア点灯状態の変更前後での変更対象ＢＬ制御エリアの輝度値の変化が許容範囲内になるようにすることができる。
【０１２０】
次に、４つの変更対象ＢＬ制御エリアのうち左下の変更対象ＢＬ制御エリアＣを消灯させる静止ＢＬ制御エリア移動制御を行う場合について説明する。
図１１（ｗ）に示す変更前ＢＬ制御エリア点灯状態におけるＢＬ制御エリアの輝度値を計算する。
図１１（ｓ）は、図１１（ｗ）に示す変更前ＢＬ制御エリア点灯状態における破線２０６３上のＢＬ制御エリアの輝度値を示す。
図１１（ｕ）は、図１１（ｗ）に示す変更前ＢＬ制御エリア点灯状態における破線２０６４上のＢＬ制御エリアの輝度値を示す。
【０１２１】
図１１（ｘ）に示す変更後ＢＬ制御エリア点灯状態におけるＢＬ制御エリアの輝度値を計算する。図１１（ｘ）に示す変更後ＢＬ制御エリア点灯状態は、図９で説明したような計算過程によりＢＬエリア拡散移動制御計算部１０８により算出されたＢＬ制御エリア点灯変更情報により実現されるＢＬ制御エリア点灯状態である。
図１１（ｔ）は、図１１（ｘ）に示す変更後ＢＬ制御エリア点灯状態における破線２０６５上のＢＬ制御エリアの輝度値を示す。
図１１（ｖ）は、図１１（ｘ）に示す変更後ＢＬ制御エリア点灯状態における破線２０６６上のＢＬ制御エリアの輝度値を示す。
【０１２２】
図１１（ｔ）及び（ｖ）に示すように、変更後ＢＬ制御エリア点灯状態を図１１（ｘ）のようにすると、ＢＬ制御エリア点灯状態の変更前後での４つの変更対象ＢＬ制御エリアすべての輝度値の変化が輝度変動許容値Ｎｈ以下となる。
従って、変更対象ＢＬ制御エリアＣを消灯させる場合、ＢＬ制御エリア点灯状態を図１１（ｗ）から図１１（ｘ）に変化させるように静止ＢＬ制御エリア移動制御を行う。これにより、ＢＬ制御エリア点灯状態の変更前後での変更対象ＢＬ制御エリアの輝度値の変化が許容範囲内になるようにすることができる。
【０１２３】
ＢＬエリア拡散移動制御計算部１０８は、変更対象ＢＬ制御エリアＡ，Ｂ，Ｃ，及びＤ
のそれぞれを消灯させる場合のＢＬ制御エリア点灯変更情報を、変更後ＢＬ制御エリア点灯状態が図１０（ｌ）、図１１（ｒ）、（ｘ）、及び図１０（ｆ）になるように計算する。
このようにして計算されるＢＬ制御エリア点灯変更情報に基づき静止ＢＬ制御エリア移動制御を行うことにより、変更対象ＢＬ制御エリアの輝度変化を許容範囲に抑えながら、ＬＥＤライトの輝度劣化のばらつきを低減することが可能となる。
【０１２４】
実施例２の画像表示装置２は、ＢＬ制御エリア毎の輝度制御値の変化に基づき、輝度制御値の時間変化が小さく輝度劣化ばらつきが発生し易い静止ＢＬ制御エリアを検出する。そして、検出した静止ＢＬ制御エリアの輝度制御値を隣接するＢＬ制御エリアの輝度制御値として設定することで、静止ＢＬ制御エリアの輝度制御値を隣接ＢＬ制御エリアに移動させる。これにより、静止ＢＬ制御エリアと隣接ＢＬ制御エリアとの輝度劣化が平均化されるので、ＬＥＤライトの輝度劣化のばらつきの発生を低減することが可能となる。また、検出した静止ＢＬ制御エリアの輝度制御値は変更されるものの、それに隣接するＢＬ制御エリアが静止ＢＬ制御エリアに当初設定されていた輝度制御値で発光するので、静止ＢＬ制御エリアに対応する表示領域の画像（静止領域）の表示輝度の変化を抑制できる。従って、静止領域を含む画像の見え方に違和感を生じることを抑制することが可能になる。
【０１２５】
なお、変更後ＢＬ制御エリア点灯状態は前述した図１０及び図１１の例に限らない。ＢＬ制御エリア点灯状態の変更前後での変更対象ＢＬ制御エリアの輝度値の変化が輝度変動許容値Ｎｈ以下となるような変更後ＢＬ制御エリア点灯状態であれば、本実施例と同様の効果を奏する。
【符号の説明】
【０１２６】
１０１  ローカルディミング制御部、１０２  静止ＢＬ制御エリア検出部、１０３  ＢＬエリア移動制御計算部、１０４  ＬＥＤ制御部、１０５  ＬＥＤ部、１０６  表示部
【図１】
2012145640.tif 000003
【図２】
2012145640.tif 000004
【図３】
2012145640.tif 000005
【図４】
2012145640.tif 000006
【図５】
2012145640.tif 000007
【図６】
2012145640.tif 000008
【図７】
2012145640.tif 000009
【図８】
2012145640.tif 000010
【図９】
2012145640.tif 000011
【図１０】
2012145640.tif 000012
【図１１】
2012145640.tif 000013